(57)【要約】【課題】  周縁部の見栄えがよくかつこしのあるカードを作製できるカード作製用シートを提供する。【解決手段】  カード作製用シート１では、従来のように基材層１１のみを疑似接着層１２から完全に剥離させるのではなく、基材層１１に疑似接着層１２および支持層１３が残留するようにしたので、カードである名刺５をよりこしのあるものとでき、名刺５をシート１から剥離させようとしたときに両層の接着力に負けることがなく、名刺５がカールしてしまう可能性を大幅に低減することができる。また、基材層１１に比べて疑似接着層１２および支持層１３を薄くし、かつ基材層１１の表面積と、その下面１１ａに残留する疑似接着層１２および支持層１３の表面積とをほぼ等しくしたので、名刺５を使用する際に、その裏面周縁部に形成された基材層１１とその他層間の段差が気になることがない。【選択図】  図２
2006116924.tif 000002
【特許請求の範囲】
【請求項１】
基材層と、この基材層に剥離可能に積層されている支持層とを備え、前記基材層を貫通して閉じたループ状に形成されたカード輪郭切断線に沿って基材層の一部を他から剥がすことでカードを作製可能なカード作製用シートであって、前記支持層のうち前記カード輪郭切断線の内側には、そのカード輪郭切断線に沿って閉じたループ状をなす補助輪郭切断線が形成されていることを特徴とするカード作製用シート。
【請求項２】
前記基材層は、前記支持層に設けた非粘着性の疑似接着層を介して前記支持層に剥離可能に積層されていることを特徴とする請求項１記載のカード作製用シート。
【請求項３】
前記支持層は前記基材層よりも薄いことを特徴とする請求項１または２に記載のカード作製用シート。
【請求項４】
前記補助輪郭切断線と前記カード輪郭切断線との間のギャップは０．５ｍｍ〜５ｍｍに設定されていることを特徴とする請求項１乃至３の何れかに記載のカード作製用シート。
【発明の詳細な説明】
【技術分野】
【０００１】  本発明は、カード作製用シートに関し、詳細には、疑似接着された層に形成されたカード輪郭線に沿ってこの層の一部を剥がすことにより、カードを作製することができるカード作製用シートに関する。
【背景技術】
【０００２】  従来から、名刺やプライスカード等の各種カードを汎用の印刷装置を用いて作製するためのカード作製用シートが使用されている。このカード作製用シートとしては、厚手の上質紙等の基紙に各種カードの大きさに区分するためのミシン目が形成されたものが一般的であるが、このような構造のシートからミシン目に沿って切り取られたカードの外周縁にはミシン目の細かい凹凸が残ってしまうため、カードの見栄えが損なわれるという問題があった。このような問題を解決するために、例えば特許文献１では、シートにミシン目を形成することなく、カードの基材となる疑似接着された層にハーフカットの切断線を形成して、この切断線に沿って疑似接着された層の一部を剥がすことでカードを作製できるようにしたカード作製用シートが提案されている。具体的には、このカード作製用シートは、片面に再剥離性粘着層を有するシート基材と、再剥離性粘着層に再剥離可能に接着された用紙とから構成されており、カードは、用紙に形成されたハーフカットによる切断線に沿って用紙の一部を剥がすことで作製されることになる。このように作製されたカードの外周縁にはミシン目等による凹凸が残ることがないので、カードの見栄えを向上させることができる。
【特許文献１】    特開平９−３０５１１３号公報
【発明の開示】
【発明が解決しようとする課題】
【０００３】  しかしながら、上記のような従来技術では、シート基材、再剥離性粘着層および用紙から構成されていた厚みのあるカード作製用シートに対して、作製されたカードはシート基材および再剥離性粘着層から剥離された用紙のみで構成されているため、厚みが小さく、カードのこしがなくなってしまうという問題があった。また、カードの厚さが小さくなると、カードをシート基材から剥離させようとしたときに粘着層の粘着力に負けてしまうため、カードがカールしてしまう可能性が高くなるという問題があった。【０００４】  本発明は、上記課題を解決するためになされたものであり、周縁部の見栄えがよくかつこしのあるカードを作製できるカード作製用シートを提供することを目的とする。
【課題を解決するための手段】
【０００５】  上記目的を達成するために、請求項１に記載のカード作製用シートは、基材層と、この基材層に剥離可能に積層されている支持層とを備え、前記基材層を貫通して閉じたループ状に形成されたカード輪郭切断線に沿って基材層の一部を他から剥がすことでカードを作製可能なカード作製用シートであって、前記支持層のうち前記カード輪郭切断線の内側には、そのカード輪郭切断線に沿って閉じたループ状をなす補助輪郭切断線が形成されていることを特徴とする。【０００６】  また、請求項２に記載のカード作製用シートでは、請求項１に記載のカード作製用シートの構成に加えて、前記基材層は、前記支持層に設けた非粘着性の疑似接着層を介して前記支持層に剥離可能に積層されていることを特徴とする。【０００７】  また、請求項３に記載のカード作製用シートでは、請求項１または２に記載のカード作製用シートの構成に加えて、前記支持層は前記基材層よりも薄いことを特徴とする。【０００８】  また、請求項４に記載のカード作製用シートでは、請求項１乃至３の何れかに記載のカード作製用シートの構成に加えて、前記補助輪郭切断線と前記カード輪郭切断線との間のギャップは０．５ｍｍ〜５ｍｍに設定されていることを特徴とする
【発明の効果】
【０００９】  本発明に係るカード作製用シートでは、カード輪郭線の内側の支持層にカード輪郭切断線に沿った補助輪郭切断線が形成されているため、シートからカード輪郭切断線に沿ってカードを剥がし取ったときにカード裏面に位置する支持層も補助輪郭切断線に沿って切り取られ、カードは基材層と支持層との複層構造のままとなる。これにより、こしのあるカードを作製でき、またカードが剥離時にカールしてしまうことを防止することができる。なお、補助輪郭切断線はカード輪郭切断線の内側に設けられていて両輪郭切断線は重なっていないから、人がカードをシートから剥がし取るまでは、カード輪郭切断線に囲まれた基材層の領域は支持層に積層状態となっており、印刷等の妨げとなることはない。【００１０】  また、支持層に非粘着性の疑似接着層を設け、ここに基材層を剥離可能に積層した構造とすれば（請求項２の発明）、カードを剥がし取った後のシートに支持層の一部が露出するという事情があっても、その露出部分に粘着性がないため、シートに触れたときに違和感を感ずることがなくなる。なお、非粘着性の疑似接着層としては、ポリエチレン樹脂等の熱可塑性樹脂であって加熱圧着することによって基材層と支持層とを積層状態に保持し、両層を引き剥がした後には再接着しない性質のものであってもよいし、感圧性の接着剤層であってこれを挟んで基材層と支持層とを強く加圧することにより両層が積層状態となるタイプのものであってもよい。要するところ、基材層と支持層とを積層状態に保持するが、両層を引き剥がした後の露出面が粘着性を帯びていないものであればよい。【００１１】  また、支持層は基材層よりも薄くすることが好ましい（請求項３の発明）。カードとして切り出された状態でカードを指で摘むと支持層の厚さ分の段差が感じ取られるが、支持層を基材層よりも薄くすることにより、感じ取られる段差の厚みを薄くしながら、カードの強度確保ができるからである。また、カールもより確実に防止できる。なお、基材層の厚さは、実用的には１８０〜２４５μｍとすることが好ましい。この場合、支持層の厚さは４０〜６５μｍとすることが好ましい。さらには、補助輪郭切断線とカード輪郭切断線との間のギャップは０．５ｍｍ〜５ｍｍに設定することが好ましい（請求項４の発明）。この範囲が補強効果を最大限に確保できながら、カードを持ったときにカード周縁部近傍に形成された段差がさほど気になることがなくなるからである。
【発明を実施するための最良の形態】
【００１２】  以下、本発明を具体化したカード作製用シートの第１の実施形態について図を参照して説明する。本実施形態では、名刺を作製するためのカード作製用シートについて説明する。ここで、本実施の形態では名刺を作製する場合を例に挙げるが、本発明にかかるカード作製用シートは、名刺に限られずプライスカード等の各種カードを作製するのに用いてもよい。まず、図１、２を参照して、カード作製用シート１の構造について説明する。尚、以下の各図中にて、シートを構成する各層の厚さは誇張して示してある。図１および２に示すように、カード作製用シート１は所定厚を有する長方形状であり、カードの基材層１１、該基材層１１の下面１１ａに積層された支持層１３から構成されている。この支持層１３には、例えばポリエチレン樹脂等の熱可塑性樹脂からなる非粘着性の疑似接着層１２が形成されており、この疑似接着層１２を介して基材層１１が支持層１３に剥離可能で、再接着不能に積層されている。【００１３】  基材層１１および支持層１３は共に紙製であり、疑似接着層１２は熱可塑性樹脂製であって、本実施形態では疑似接着層１２と支持層１３とを合わせたものが請求項における支持層に相当する。ここで、本実施形態では、基材層１１の厚さを２２０μｍ、疑似接着層１２の厚さを２５μｍとし、支持層１３の厚さを４０μｍとしている。尚、疑似接着層１２を必ずしも熱可塑性樹脂製とする必要はなく、基材層１１と支持層１３とが剥離可能に積層されていればよいので、これら両層を熱圧着等の他の手段を用いて疑似接着状態としてもよいし、基材層１１又は支持層１３側に粘着剤層を設けてその粘着剤層によって両層１１，１３を剥離可能な積層状態としてもよい。【００１４】  また、基材層１１には、基材層１１を複数個の名刺大の領域に分割するためのカード輪郭切断線３０が形成されている。このカード輪郭切断線３０は基材層１１のみを貫くように閉じたループ状の連続するスリットとして形成されており、基材層１１を１０個の同じ大きさの矩形領域に分割すべく、３本の互いに等間隔かつ平行な長辺成分３０ａ（カード作製用シート１の長辺方向に平行な成分）と、６本の互いに等間隔かつ平行な短辺成分３０ｂ（カード作製用シート１の短辺方向に平行な成分）とを備えている。即ち、カード作製用シート１の長辺方向に隣接して５つ並んだ名刺５の列が、左右に隣接して２列形成された状態となっている。ここで、本実施形態では、Ａ４サイズのカード作製用シート１に対し、カード輪郭切断線３０によって輪郭付けられた各名刺５のサイズを縦５５ｍｍ×横９０ｍｍとしている。【００１５】  また、基材層１１下側の疑似接着層１２および支持層１３には補助輪郭切断線５０が形成されている。詳しくは、補助輪郭切断線５０は、疑似接着層１２および支持層１３のみを貫通する閉じたループ状のスリットとして形成されると共に、平面視で隅部に丸みを持った長方形状をなしている。また、この補助輪郭切断線５０は平面視でカード輪郭切断線３０の例えば２ｍｍだけ内側で、それに沿って即ち名刺５内に収まるように形成されており、補助輪郭切断線５０に囲まれた領域の表面積が、名刺５の表面積よりもわずかに小さくなっている。そして、図３および図��に示すように、カード作製用シート１からカード輪郭切断線３０に沿って名刺５を剥がすと、基材層１１に形成されたカード輪郭切断線３０と疑似接着層１２および支持層１３に形成された補助輪郭切断線５０とが基材層１１と疑似接着層１２との界面（疑似接着面）を介して連続しているので、基材層１１の下側に疑似接着層１２および支持層１３が付着して複層構造となった状態の名刺５が得られることになる。【００１６】  このようにして得られた名刺５は、従来のように基材層１１のみを疑似接着層から完全に剥離させて作製していた単層構造の名刺等のカードと比べてこしのあるものにできるので、名刺をシートから剥離させようとしたときに両層の接着力に負けることがなく、カードがカールしてしまう可能性を大幅に低減することができる。また、基材層１１に比べて疑似接着層１２および支持層１３を薄くし、かつ基材層１１の表面積と、その下面１１ａに残留する疑似接着層１２および支持層１３の表面積とをほぼ等しくしたので、名刺５を使用する際に、その裏面周縁部に形成された基材層１１とその他層間の段差が気になることがほとんどなく、使用者に違和感を与えることもない。さらに、名刺５の裏側に残った支持層１３は紙製であるので、そこにメモ等をすることも可能であり、またそのメモが必要なくなったときに疑似接着層１２と共に基材層１１から剥がすようにしてもよい。【００１７】  ここで、基材層１１、疑似接着層１２および支持層１３から構成されるカード作製用シートにおいて、基材層１１と疑似接着層１２とを疑似接着状態とするのではなく、これら両層は接着状態として、疑似接着層１２と支持層１３とを疑似接着状態としてもよい。この場合、図５に示すように、カード輪郭切断線３０が基材層１１と疑似接着層１２とを貫通するように形成し、補助輪郭切断線５０は、支持層１３のみを貫通するように形成することになる。尚、このカード作製用シートは上述のカード作製用シート１と同じ構成要素を備えており、同じ部材にはカード作製用シート１と同符号を付しているが、以下ではこのように基材層１１と疑似接着層１２とを接着状態とし、疑似接着層１２と支持層１３とを疑似接着状態としたものを、上述のカード作製用シート１と区別するためにカード作製用シート１００とする。また、このカード作製用シート１００から得られた名刺も上述の名刺５と区別して名刺１０５とする。【００１８】  図５に示すように、カード作製用シート１００は、基材層１１、疑似接着層１２および支持層１３を備えており、基材層１１と支持層１３とが紙からなり、疑似接着層１２が熱可塑性の樹脂からなるものである。そして、名刺のカード輪郭切断線３０（図中では長辺成分３０ａ）が、表面側（図中上側）から基材層１１と疑似接着層１２とを貫通するように形成され、補助輪郭切断線５０が、裏面側（図中下側）から支持層１３のみを貫通するように形成されている。カード作製用シート１００におけるカード輪郭切断線３０内領域の面積と補助輪郭切断線５０内領域の面積との関係、またカード輪郭切断線３０と補助輪郭切断線５０の平面視での位置関係も、カード作製用シート１と同様である。【００１９】  このような構成のカード作製用シート１００においては、図６に示すように、カード輪郭切断線３０に沿ってこのカード輪郭切断線３０内の領域を剥がすと、基材層１１および疑似接着層１２に形成されたカード輪郭切断線３０と、支持層１３に形成された補助輪郭切断線５０とが疑似接着層１２と支持層１３との界面（疑似接着面）を介して連続しているので、基材層１１と一体となった疑似接着層１２の下側に支持層１３が付着した状態の名刺１０５が得られることになる。【００２０】  このようにして得られた名刺１０５は、従来のように基材層１１のみを疑似接着層から完全に剥離させて作製していた名刺等のカードと比べてこしのあるものにできるので、名刺をシートから剥離させようとしたときに両層の接着力に負けることがなく、カードがカールしてしまう可能性を大幅に低減することができる。また、名刺５と比較して、名刺大の表面積が保たれた層が１層増えたことで、よりこしのある名刺を作製することができる。また、基材層１１に比べて疑似接着層１２および支持層１３を薄くし、かつ基材層１１および疑似接着層１２の表面積と、その裏側に残留する支持層１３の表面積とをほぼ等しくしたので、名刺１０５を使用する際に、その裏面周縁部に形成された疑似接着層１２と支持層１３間の段差が気になることがほとんどなく、使用者に違和感を与えることもない。さらに、名刺１０５の裏側に残った支持層１３は紙製であるので、そこにメモ等をすることも可能であり、またそのメモが必要なくなったときに疑似接着層１２から剥がすようにしてもよい。【００２１】  なお、上述の両実施形態では、基材層と支持層とを非粘着性の疑似接着層を介して積層状態とした例を示したが、これに限らず、粘着剤層を介して積層させてもよい。この場合、カードをシートから剥がし取ったときに粘着剤層が支持層側（シート側）に残るように形成すれば、カードを手で持ったときに粘着性を感ずることがなく名刺等として使いやすいという利点が得られ、粘着剤層が基材層側（カード側）に残るように形成すれば、そのカードを別の場所に貼り付けることができるという利点が得られる。また、カード輪郭切断線及び補助輪郭切断線は、上記実施形態では共に閉じたループ状に連続するスリットとして形成したが、切り口が目立たないマイクロミシン目によって形成してもよく、特にカードの裏側となる支持層側では切り口が目立たないのでマイクロミシン目の適用が十分に考えられる。
【図面の簡単な説明】
【００２２】
【図１】カード作製用シート１の平面図である。
【図２】図１におけるＡ−Ａ線矢視方向断面図である。
【図３】カード作製用シート１から名刺５を１枚剥がした状態を示す斜視図である。
【図４】図３におけるＢ−Ｂ線矢視方向断面図である。
【図５】カード作製用シート１００の断面図である。
【図６】カード作製用シート１００の使用状態を示す断面図である。
【符号の説明】
【００２３】    １    カード作製用シート
５    名刺（カード）
１１    基材層
１１ａ  基材層下面
１２    疑似接着層
１３    支持層
３０    カード輪郭切断線
５０    補助輪郭切断線
【図１】
2006116924.tif 000003
【図２】
2006116924.tif 000004
【図３】
2006116924.tif 000005
【図４】
2006116924.tif 000006
【図５】
2006116924.tif 000007
【図６】
2006116924.tif 000008